(57)【要約】【課題】必要時に蓋を開くと化粧用具や化粧品を自動的に引き出されて容易に使用でき、蓋を閉じると函体内に引き入れられて保管およぴ携帯が容易になるようにする。【解決手段】函体(10)の上部へ蓋(20)をヒンジ(21)により回転可能に結合する。化粧用具(12)を挿入できる化粧用具収納部(11)を函体(10)内に収容する。化粧用具収納部(11)をコイルスプリング(13)により常時上方へ押圧付勢する。蓋(20)の一側に押し板(22)を形成する。上記の化粧用具収納部(11)は、上記の押し板(22)で押し下げることにより下降するとともに、この押し板(22)による押し下げを解除することにより上昇するように構成する。【選択図】  図２
2005192575.tif 000002
【特許請求の範囲】
【請求項１】
一側に押し板(22)を有する蓋(20)が、ヒンジ(21)により函体(10)の上部へ回転可能に結合してあり、
上記の函体(10)内に、少なくとも１個の化粧用具(12)を挿入できる化粧用具収納部(11)が収容され、この化粧用具収納部(11)は下部のコイルスプリング(13)により常時上方へ押圧付勢され、
上記の化粧用具収納部(11)は、上記の押し板(22)で押し下げることにより下降するとともに、この押し板(22)による押し下げを解除することにより上昇するように構成されたことを特徴とする、携帯用化粧用具ケース。
【請求項２】
上記の化粧用具収納部(11)の上側一側部に、係合顎(18)を有する押し板収容部(17)が形成され、
上記の蓋(20)の押し板(22)は、上記の押し板収容部(17)内へ移動自在に連係配置されたことを特徴とする、請求項１に記載の携帯用化粧用具ケース。
【請求項３】
上記の化粧用具収納部(11)の一側面に、化粧品貯蔵部(31)と鏡(32)とが設置されたことを特徴とする、請求項１または請求項２に記載の携帯用化粧用具ケース。
【請求項４】
上記の化粧用具収納部(11)の一側面に化粧品貯蔵部(31)が形成され、上記の化粧用具収納部(11)が上昇したときにこの化粧品貯蔵部(31)内の化粧品が使用可能となるように、上記の函体(10)に開放口(10a)が開口されたことを特徴とする、請求項１から３のいずれか１項に記載の携帯用化粧用具ケース。
【発明の詳細な説明】
【技術分野】
【０００１】
本発明は化粧用具や化粧品を収容し、必要時に容易に引き出して使用できるようにした携帯用化粧用具ケースに関するものであり、より詳細には、函体に収容され化粧用具や化粧品を備えた化粧用具収納部が、蓋を開くときには自動的に函体の上部に上昇して必要な化粧用具や化粧品を選択使用できるようにし、蓋を閉じるときには函体内に引き入れられて保管および携帯が容易になるようにしたところに主眼点を置いたものである。
【背景技術】
【０００２】
一般に、女性等が化粧をしたのちに外出して随時に化粧をし直す場合、先ずスキンローション等をつけて基礎的な皮膚管理をしたのち、マスカラ、アイシャドー、リップスティック等で色調を整える化粧がなされる。
【０００３】
このような色調化粧には、鏡やブラシ等の化粧用具を準備することになるが、これらのブラシにはマスカラ用、アイシャドー用、リップスティック用をそれぞれ備えなければならず、これら以外にも数多くの種類のブラシ等が必要とされる。
【０００４】
従来、上記の化粧品や化粧用具を収容した化粧品ケース(図示省略)には、１種類或いは複数種類の化粧品が収容されるように構成したものがあり、一側に化粧用ブラシのような化粧用具が挿入されるケース本体と、このケース本体の上部にヒンジ結合されて一定の角度に回動されながらケース本体の上部を開閉する蓋とを備え、この蓋に鏡が付設されている。
【０００５】
このような従来の化粧品ケースは、内部に化粧品と化粧用具とを共に水平に収納してあるので、携帯時や使用時にケースの内部に収納されている化粧用具が移動し易く、化粧品が化粧用具に付着して取扱いや使用が不便となる欠点があった。また、化粧用具の動きにより化粧用具が損傷されたり、騒音が発生する欠点もあった。
【発明の開示】
【発明が解決しようとする課題】
【０００６】
本発明は上記の問題点を最小化させると同時に、函体に収容され化粧用具や化粧品を備えた化粧用具収納部が、蓋を開くときには函体の上部に上昇して必要な化粧用具や化粧品を選択使用できるようにし、蓋を閉じるときには函体内に引き入れられて保管およぴ携帯が容易になるようにした、携帯用化粧用具ケースを提供することを技術的課題とする。
【課題を解決するための手段】
【０００７】
本発明は上記の課題を解決するため、例えば本発明の実施の形態を示す図１から図９に基づいて説明すると、次のように構成したものである。
即ち、本発明は携帯用化粧用具ケースに関し、押し板(22)を有する蓋(20)が、ヒンジ(21)により函体(10)の上部へ回転可能に結合してあり、上記の函体(10)内に、少なくとも１個の化粧用具(12)を挿入できる化粧用具収納部(11)が収容され、この化粧用具収納部(11)は下部のコイルスプリング(13)により常時上方へ押圧付勢され、上記の化粧用具収納部(11)は、上記の押し板(22)の一側に形成された上記の押し板(22)で押し下げることにより下降するとともに、この押し板(22)による押し下げを解除することにより上昇するように構成されたことを特徴とする。
【０００８】
函体内では、ブラシなどの化粧用具は化粧用具収納部に挿入されており、容易に移動することが防止される。上記の蓋を開くと、上記の押し板による下方への押し下げが解除されて、化粧用具収納部がコイルスプリングの押圧力により上昇し、函体上部から自動的に引き出されて、化粧用具などが使用可能となる。一方、上記の蓋を閉じると、化粧用具収納部が上記のコイルスプリングの押圧力に抗して押し板で押し下げられ、函体内に引き入れられて携帯が容易となる。
【発明の効果】
【０００９】
本発明は上記のように構成され作用することから、次の効果を奏する。
【００１０】
ブラシなどの化粧用具は化粧用具収納部に挿入されており、容易に移動することがないので、化粧用具への化粧品の付着による取扱いや使用上の不具合の発生を低減でき、さらに化粧用具の損傷や騒音の発生を低減することができる。
しかも、蓋を開くことで化粧用具収納部が函体の上部に引き出されるので、化粧品や化粧用具を容易に選択して使用できるうえ、蓋を閉じることでこの化粧用具収納部が函体内に引き入れられるので、容易に保管し携帯することができる。
【発明を実施するための最良の形態】
【００１１】
以下、本発明の実施の形態を添付された図面により詳細に説明する。
図１から図５は本発明の望ましい実施形態を示し、図１は携帯用化粧用具ケースの分解斜視図、図２は蓋を開けて見せた状態の携帯用化粧用具ケースの斜視図、図３は蓋を閉じた状態の携帯用化粧用具ケースの正面図、図４は図１のＡ−Ａ線に沿って切断した携帯用化粧用具ケースの断面図、図５は図２のＢ−Ｂ線に沿って切断した携帯用化粧用具ケースの断面図である。
【００１２】
図面に示すように、この携帯用化粧用具ケース(1)は、上部が開口した函体(10)を備えており、この函体(10)の上部に蓋(20)がヒンジ(21)により回転可能に結合され、この蓋(20)で函体(10)の上部開口の密閉が可能になっている。
【００１３】
上記の函体(10)内には、複数個の化粧用具(12)を挿入できる化粧用具収納部(11)が挿入されている。この化粧用具収納部(11)の下方には、函体(10)の底面板(15)の一側に案内棒(14)が垂直に立てられており、弾発力を有するコイルスプリング(13)が、この案内棒(14)の外側に装着された状態で、上記の化粧用具収納部(11)と底面板(15)との間に配置されている。上記の化粧用具収納部(11)は、このコイルスプリング(13)の弾発力で常時上方へ押圧付勢される。
【００１４】
上記の化粧用具収納部(11)の上部には複数の挿入溝(16)が形成してあり、化粧時の各用途に適した形状の化粧用具(12)がそれぞれ挿入溝(16)に挿入される。またこの化粧用具収納部(11)の下部の一側には、上記の案内棒(14)が往復移動できるように案内棒挿入溝(19)が形成してある。
なお、化粧用具収納部(11)の一側面の上部には、後述する押し板(22)が挿入されて連係されるように、係合顎(18)を有する押し板収容部(17)が形成してある。
【００１５】
上記の函体(10)の上部に結合される蓋(20)の一側には、押し板(22)がこの蓋(20)に対し直角方向へ長く形成してある。この押し板(22)は、上記の押し板収容部(17)内へ移動自在に配置され、上記のヒンジ(21)により蓋(20)に結合されることで、この蓋(20)と函体(10)とが一体に結合されている。
【００１６】
次に、上記のように構成された化粧用具ケースの作用と効果を、実際の使用状態を挙げて説明する。
【００１７】
上記の化粧用具ケース(1)が閉じられた状態は図３および図４に示す通りである。
使用者が化粧用具(12)を使用する場合、上記の閉じられた状態から蓋(20)を開けると、蓋(20)がヒンジ(21)を軸にして回動して開かれていくとともに、上記の案内棒(14)の外側に配置されたコイルスプリング(13)の弾発力で上記の化粧用具収納部(11)が上方へ押し上げられ、化粧用具(12)が函体(10)の上部から突出する状態になる(図２参照)。
【００１８】
この状態で、使用者は必要な形状の化粧用具(12)を選択し、挿入溝(16)から引き出して使用すればよい。その後、化粧用具(12)の使用が完了すると、化粧用具(12)を上記の挿入溝(16)内に挿入したのち、蓋(20)を閉じる。
【００１９】
上記の蓋(20)を閉じるときには、この蓋(20)の一側に設置された押し板(22)の下端が、上記の化粧用具収納部(11)の係合顎(18)と連係した状態で滑りながら、この係合顎(18)を強制的に下方へ押すので、化粧用具収納部(11)が下降する。
上記の蓋(20)が完全に閉じられた状態では、上記の押し板(22)が垂直に立てられた状態で化粧用具収納部(11)を下方へ押しているので、この化粧用具収納部(11)は前記のコイルスプリング(13)の弾発力に抗して、函体(10)内に引き入れられた状態に保持される。そして、この化粧用具収納部(11)に挿入された上記の化粧用具(12)は、函体(10)内に収納された状態となり、この状態で携帯あるいは保管される。
【００２０】
上記のように、本発明の化粧用具ケース(1)は、蓋(20)の開閉に伴って押し板(22)が回動することにより、函体(10)内部に設置された化粧用具収納部(11)が強制的に昇降することができ、使用および形態が容易なものとなっている。
【００２１】
なお、図面中、符号(25)は押し板(22)が函体(10)上部に抜け出すことを防止するための離脱防止顎を示し、符号(26a)と(26b)は、それぞれ函体(10)と蓋(20)の押し板(22)に穿孔されたヒンジ孔を示す。
【００２２】
図６と図７は本発明の他の実施形態を示し、図６は携帯用化粧用具ケースの分解斜視図であり、図７は蓋を開いた状態の携帯用化粧用具ケースの斜視図である。
【００２３】
この実施形態では、全体的には前記の実施形態と類似しており、化粧用具収納部(11)を変形させた点に差異がある。即ち、この化粧用具収納部(11)の一側面には、溝状に凹設された複数の化粧品貯蔵部(31)が分割形成してあり、この化粧品貯蔵部(31)内に、用途や色相がそれぞれ異なる化粧品を貯蔵できるように構成してある。
【００２４】
また、上記の化粧品貯蔵部(31)の下方には鏡(32)が備えてあり、使用者がこの鏡(32)を見ながら化粧をすることができる。なお、上記の鏡(32)は函体(10)内に設置されているので、この函体(10)を透明体で構成して、使用者が函体(10)内の鏡(32)に顔を映せるようにするのが望ましい。
【００２５】
図８と図９は本発明の、さらに他の実施形態を示し、図８は携帯用化粧用具ケースの分解斜視図であり、図９は蓋を開いた状態の携帯用化粧用具ケースの斜視図である。
【００２６】
この実施形態では、全体的には前記の実施形態と類似した構成を備えているが、函体(10)内に設置される化粧用具収納部(11)の一側面には、複数の化粧品貯蔵部(31)を分割形成してあり、この化粧品貯蔵部(31)内に色相がそれぞれ異なる化粧品、例えばリップスティックを貯蔵できるようにしてあり、さらに、上記の函体(10)の一側面部には開放口(10a)が形成してある。
【００２７】
使用者が蓋(20)を開けると、コイルスプリング(13)の弾発力で化粧用具収容部(11)が上昇して、函体(10)の上部から化粧用具(12)が引き出されるとともに、化粧品貯蔵部(31)が函体(10)の開放口(10a)と一致した位置に到達する。これにより、使用者は必要な化粧用具(12)を化粧用具収容部(11)の挿入溝(16)から引き抜いて使用することができ、蓋(20)が開けられた状態で化粧品の使用が可能になる。
【産業上の利用可能性】
【００２８】
本願発明の化粧用具ケースは、函体上部の蓋の開閉に伴って、化粧用具を備えた化粧用具収納部が函体内を昇降して使用者が必要な化粧用具を容易に選択使用できることから、携帯および使用が簡便な化粧用具ケースに好適である。
【図面の簡単な説明】
【００２９】
【図１】本発明の望ましい実施形態の、携帯用化粧用具ケースの分解斜視図である。
【図２】本発明の望ましい実施形態の、蓋を開けて見せた状態の携帯用化粧用具ケースの斜視図である。
【図３】本発明の望ましい実施形態の、蓋を閉じた状態の携帯用化粧用具ケースの正面図である。
【図４】図１のＡ−Ａ線に沿って切断した携帯用化粧用具ケースの断面図である。
【図５】図２のＢ−Ｂ線に沿って切断した携帯用化粧用具ケースの断面図である。
【図６】本発明の他の実施形態の、携帯用化粧用具ケースの分解斜視図である。
【図７】本発明の他の実施形態の、蓋を開いた状態の携帯用化粧用具ケースの斜視図である。
【図８】本発明のさらに他の実施形態の、携帯用化粧用具ケースの分解斜視図である。
【図９】本発明のさらに他の実施形態の、蓋を開いた状態の携帯用化粧用具ケースの斜視図である。
【符号の説明】
【００３０】
1…化粧用具ケース
10…函体
10a…開放口
11…化粧用具収納部
12…化粧用具
13…コイルスプリング
14…案内棒
15…底面板
16…挿入溝
17…押し板収容部
18…係合顎
19…案内棒挿入溝
20…蓋
21…ヒンジ
22…押し板
31…化粧品貯蔵部
32…鏡
【図１】
2005192575.tif 000003
【図２】
2005192575.tif 000004
【図３】
2005192575.tif 000005
【図４】
2005192575.tif 000006
【図５】
2005192575.tif 000007
【図６】
2005192575.tif 000008
【図７】
2005192575.tif 000009
【図８】
2005192575.tif 000010
【図９】
2005192575.tif 000011